(57)【特許請求の範囲】
【請求項１】
１つのチャネルにて伝送される信号の帯域幅が、チャネルの中心周波数が設定されうる周波数の間隔よりも広くなるようにスペクトラム拡散が施された信号を受信して、受信信号の強度分布を特定し、特定した強度分布に基づいてチャネルを検出して通信を実行する移動通信装置であって、
受信信号からベースバンド信号を復調する復調手段と、
前記復調手段により復調されたベースバンド信号から、受信信号強度を測定する信号強度測定手段と、
前記復調手段がベースバンド信号を復調する受信信号の周波数を切り換える受信周波数制御手段と、
前記受信周波数制御手段が受信信号の周波数を切り換えるごとに前記信号強度測定手段が測定した受信信号強度から、受信信号の強度分布を特定してチャネルを検出するチャネル検出処理手段とを備え、
前記受信周波数制御手段は、チャネルの中心周波数が設定されうる周波数の間隔よりも広いステップ幅で受信信号の周波数を切り換える、
ことを特徴とする移動通信装置。
【請求項２】
前記チャネル検出処理手段は、チャネルが存在する可能性の有無を受信信号強度より判別するための所定の閾値を用いて、前記信号強度測定手段により測定された受信信号強度のうちで所定の閾値を超えているものがあるか否かを判別し、ないと判別した場合に、所定の時間が経過するまで、前記復調手段による受信動作を停止させる、
ことを特徴とする請求項１に記載の移動通信装置。
【請求項３】
前記チャネル検出処理手段は、前記信号強度測定手段により測定された受信信号強度のうちで所定の閾値を超えているものがあると判別した場合に、所定の閾値を超える受信信号強度が測定された受信信号周波数に基づいて、チャネルを検出するための処理を実行する、
ことを特徴とする請求項２に記載の移動通信装置。
【請求項４】
１つのチャネルにて伝送される信号の帯域幅が、チャネルの中心周波数が設定されうる周波数の間隔よりも広くなるようにスペクトラム拡散が施された信号を受信して、受信信号の強度分布を特定し、特定した強度分布に基づいてチャネルを検出して通信を実行する移動通信装置であって、
所定の周波数範囲内において、チャネルの中心周波数が設定されうる周波数の間隔よりも広いステップ幅で受信信号の周波数を切り換えるごとに、受信信号強度を測定し、前記周波数範囲内で測定した受信信号強度のうちに、所定の閾値を超えているものがあるか否かを判別した結果に基づいて、チャネルを検出する、
ことを特徴とする移動通信装置。
【請求項５】
前記周波数範囲内で測定した受信信号強度のうちに、所定の閾値を超えているものがないと判別した場合に、所定の時間が経過するまで、受信動作を停止する、
ことを特徴とする請求項４に記載の移動通信装置。
【請求項６】
１つのチャネルにて伝送される信号の帯域幅が、チャネルの中心周波数が設定されうる周波数の間隔よりも広くなるようにスペクトラム拡散が施された信号を受信して、受信信号の強度分布を特定し、特定した強度分布に基づいてチャネルを検出して通信を実行する通信方法であって、
受信信号からベースバンド信号を復調する復調ステップと、
前記復調ステップにて復調したベースバンド信号から、受信信号強度を測定する信号強度測定ステップと、
前記復調ステップにてベースバンド信号を復調する受信信号の周波数を切り換える受信周波数切換ステップと、
前記受信周波数切換ステップにて受信信号の周波数を切り換えるごとに前記信号強度測定ステップにて測定した受信信号強度から、受信信号の強度分布を特定してチャネルを検出するチャネル検出処理ステップとを備え、
前記受信周波数切換ステップは、チャネルの中心周波数が設定されうる周波数の間隔よりも広いステップ幅で受信信号の周波数を切り換え、
前記チャネル検出処理ステップは、チャネルが存在する可能性の有無を受信信号強度より判別するための所定の閾値を用いて、前記信号強度測定ステップにて測定した受信信号強度のうちで所定の閾値を超えているものがあるか否かを判別し、ないと判別した場合に、所定の時間が経過するまで受信動作を停止させる、
ことを特徴とする通信方法。
【請求項７】
１つのチャネルにて伝送される信号の帯域幅が、チャネルの中心周波数が設定されうる周波数の間隔よりも広くなるようにスペクトラム拡散が施された信号を受信して、受信信号の強度分布を特定し、特定した強度分布に基づいてチャネルを検出して通信を実行する通信方法であって、
受信信号からベースバンド信号を復調する復調ステップと、
前記復調ステップにて復調したベースバンド信号から、受信信号強度を測定する信号強度測定ステップと、
前記復調ステップにてベースバンド信号を復調する受信信号の周波数を切り換える受信周波数切換ステップと、
前記受信周波数切換ステップにて受信信号の周波数を切り換えるごとに前記信号強度測定ステップにて測定した受信信号強度から、受信信号の強度分布を特定してチャネルを検出するチャネル検出処理ステップとを備え、
前記受信周波数切換ステップは、チャネルの中心周波数が設定されうる周波数の間隔よりも広いステップ幅で受信信号の周波数を切り換え、
前記チャネル検出処理ステップは、チャネルが存在する可能性の有無を受信信号強度より判別するための所定の閾値を用いて、前記信号強度測定ステップにて測定した受信信号強度のうちで所定の閾値を超えるものがあるか否かを判別し、あると判別した場合に、所定の閾値を超える受信信号強度が測定された受信信号周波数に基づいて、チャネルを検出するための処理を実行する、
ことを特徴とする通信方法。
【発明の詳細な説明】
【０００１】
【発明の属する技術分野】
この発明は、所定の周波数範囲でチューニングすることにより、通信サービス圏内において提供されるチャネルを検出して通信を可能とする移動通信装置に係り、特に、スペクトラム拡散が施された信号を送受信して通信を行う移動通信装置に関する。
【０００２】
【従来の技術】
例えば携帯電話機といった、無線信号を送受信して通信を行う移動通信装置には、相手先との間で通信を可能とするために、予め定められた所定の周波数範囲でチューニングしてチャネルを検出し、初期同期を確立するための処理を実行するものがある。
【０００３】
例えば、いわゆる第３世代の移動体通信システムであるＩＭＴ−２０００（International Mobile Telecommunication-2000）のシステムでは、下り無線リンクのために、２１１０ＭＨｚ〜２１７０ＭＨｚからなる６０ＭＨｚの周波数範囲が使用可能となっている。かかる移動体通信システムでは、約３．８４ＭＨｚの帯域幅を有するチャネルを、２００ｋＨｚステップで予め規定された周波数のうちのいずれかを中心周波数として設定することで、上述の周波数範囲内に配置することができる。ただし、帯域が重なる２つのチャネルを同一エリア内に設定することはできないため、１つのエリアにて複数のチャネルを配置する場合には、基本的に５ＭＨｚの帯域幅を有する周波数範囲を１つのチャネルに対して割り当てる。
【０００４】
こうした移動体通信システムに適用される従来の移動通信装置は、電源投入時や通信サービス圏外に存在する時に、チャネルの中心周波数が設定されうる全ての周波数を受信信号の周波数として順次設定し、通信サービス圏外に在ると判別したり、チャネルを検出して初期同期を確立したりする。
【０００５】
【発明が解決しようとする課題】
上記従来の移動通信装置は、チャネルを検出するために、チャネルの中心周波数が設定されうる全ての周波数について受信信号強度を測定しなければならない。
これにより、移動通信装置が、受信信号の強度が小さい通信サービス圏外に存在すると判別するために、多くの処理を実行しなければならない。
また、移動通信装置が、通信を可能とするチャネルを検出するためにも、多くの処理を実行しなければならない。
さらに、移動通信装置が、通信サービス圏内に復帰して待受状態に移行するためにも、多くの処理を実行しなければならない。
【０００６】
例えば、ＩＭＴ−２０００のシステムにて下り無線リンクに使用される６０ＭＨｚの周波数範囲において、２００ｋＨｚステップでチャネルの中心周波数として設定可能な周波数が存在すると、移動通信装置は、３００通りの周波数について、受信信号強度を測定することになる。なお、実際には、システムが使用可能な周波数範囲の外部に信号が漏洩することを防止するため、上下２．５ＭＨｚの範囲にはチャネルの中心周波数が設定されないようにしている。ただし、ここでは、説明を簡単にするため、３００通りの周波数をチャネルの中心周波数として設定しうるものとして説明する。
【０００７】
ここで、ある周波数の受信信号についてその受信信号強度を測定するための処理に、平均化及び受信信号の周波数切換に要する時間を含めて、１０ｍｓの時間を要するものとする。
この場合、従来の移動通信装置は、受信信号の周波数を３００通りだけ順次切り換えて設定し、受信信号強度を測定すると、システムが使用する周波数範囲における受信信号強度を測定するための処理を１回実行するごとに、３秒程度の時間を要していた。
このため、通信サービス圏内への素早い復帰を可能とするべく、受信信号強度を頻繁に測定すると、特に多くの電力を消費するという問題があった。
【０００８】
この発明は、上記実状に鑑みてなされたものであり、通信サービス圏外に存在することを素早く検出して消費電力を低減することができる移動通信装置を、提供することを目的とする。また、この発明は、通信を可能とするチャネルを素早く検出することができる移動通信装置を、提供することを目的とする。また、この発明は、通信サービス圏内に復帰するための処理を簡単化して消費電力を低減することができる移動通信装置を、提供することを目的とする。
【０００９】
【課題を解決するための手段】
上記目的を達成するため、この発明の第１の観点に係る移動通信装置は、
１つのチャネルにて伝送される信号の帯域幅が、チャネルの中心周波数が設定されうる周波数の間隔よりも広くなるようにスペクトラム拡散が施された信号を受信して、受信信号の強度分布を特定し、特定した強度分布に基づいてチャネルを検出して通信を実行するものであって、
受信信号からベースバンド信号を復調する復調手段と、
前記復調手段により復調されたベースバンド信号から、受信信号強度を測定する信号強度測定手段と、
前記復調手段がベースバンド信号を復調する受信信号の周波数を切り換える受信周波数制御手段と、
前記受信周波数制御手段が受信信号の周波数を切り換えるごとに前記信号強度測定手段が測定した受信信号強度から、受信信号の強度分布を特定してチャネルを検出するチャネル検出処理手段とを備え、
前記受信周波数制御手段は、チャネルの中心周波数が設定されうる周波数の間隔よりも広いステップ幅で受信信号の周波数を切り換える、
ことを特徴とする。
【００１０】
この発明によれば、チャネル検出処理手段は、チャネルの中心周波数が設定されうる周波数の間隔よりも広いステップ幅で受信周波数制御手段が受信信号の周波数を切り換えるごとに信号強度測定手段が測定した受信信号強度から、受信信号の強度分布を特定してチャネルを検出することができる。
このようにすることで、受信信号の周波数を切り換える回数を低減して、所定の周波数範囲における受信信号強度を素早く測定することができる。
これにより、受信信号強度が小さい場合には、通信サービス圏外に存在することを直ちに検出することができ、消費電力を低減することができる。また、通信を可能とするチャネルを素早く検出することもできる。さらに、通信サービス圏内に復帰するための処理が簡単となり、消費電力を低減することができる。
【００１１】
より詳細には、前記チャネル検出処理手段は、チャネルが存在する可能性の有無を受信信号強度より判別するための所定の閾値を用いて、前記信号強度測定手段により測定された受信信号強度のうちで所定の閾値を超えているものがあるか否かを判別し、ないと判別した場合に、所定の時間が経過するまで、前記復調手段による受信動作を停止させることが望ましい。
すなわち、チャネル検出処理手段は、受信信号強度のうちに第２の閾値を超えるものがない場合に、通信サービス圏外に存在すると判別して、所定の時間が経過するまで受信動作を停止させて待機する。
これにより、通信サービス圏外に存在することを素早く検出することができ、消費電力を低減することができる。
【００１２】
また、前記チャネル検出処理手段は、前記信号強度測定手段により測定された受信信号強度のうちで所定の閾値を超えているものがあると判別した場合に、所定の閾値を超える受信信号強度が測定された受信信号周波数に基づいて、チャネルを検出するための処理を実行することが望ましい。
すなわち、チャネル検出処理手段は、受信信号強度のうちに第２の閾値を超えているものがある場合に、通信を可能とするチャネルが存在する可能性があると判別して、チャネルを検出するための処理を実行する。
この際、チャネルの中心周波数が設定されうる周波数は、受信信号強度の測定対象となった周波数範囲内に限定されるので、チャネルを素早く検出することができる。また、通信サービス圏内に復帰するための処理が簡単になり、消費電力を低減することができる。
【００１３】
この発明の第２の観点に係る移動通信装置は、
１つのチャネルにて伝送される信号の帯域幅が、チャネルの中心周波数が設定されうる周波数の間隔よりも広くなるようにスペクトラム拡散が施された信号を受信して、受信信号の強度分布を特定し、特定した強度分布に基づいてチャネルを検出して通信を実行するものであって、
所定の周波数範囲内において、チャネルの中心周波数が設定されうる周波数の間隔よりも広いステップ幅で受信信号の周波数を切り換えるごとに、受信信号強度を測定し、前記周波数範囲内で測定した受信信号強度のうちに、所定の閾値を超えているものがあるか否かを判別した結果に基づいて、チャネルを検出する、
ことを特徴とする。
【００１４】
この発明によれば、チャネルの中心周波数が設定されうる周波数の間隔よりも広いステップ幅で受信信号の周波数を切り換えるごとに、受信信号強度を測定し、所定の閾値を超えているものがあるか否かを判別した結果に基づいて、チャネルを検出する。
これにより、受信信号の周波数を切り換える回数を低減して受信信号強度を素早く測定することができ、通信サービス圏外に存在することを素早く検出して、消費電力を低減することができる。また、チャネルを素早く検出することもできる。通信サービス圏内に復帰するための処理も簡単となり、消費電力を低減することもできる。
【００１５】
前記周波数範囲内で測定した受信信号強度のうちに、所定の閾値を超えているものがないと判別した場合に、所定の時間が経過するまで、受信動作を停止することが望ましい。
【００１６】
この発明の第３の観点に係る通信方法は、
１つのチャネルにて伝送される信号の帯域幅が、チャネルの中心周波数が設定されうる周波数の間隔よりも広くなるようにスペクトラム拡散が施された信号を受信して、受信信号の強度分布を特定し、特定した強度分布に基づいてチャネルを検出して通信を実行する方法であって、
受信信号からベースバンド信号を復調する復調ステップと、
前記復調ステップにて復調したベースバンド信号から、受信信号強度を測定する信号強度測定ステップと、
前記復調ステップにてベースバンド信号を復調する受信信号の周波数を切り換える受信周波数切換ステップと、
前記受信周波数切換ステップにて受信信号の周波数を切り換えるごとに前記信号強度測定ステップにて測定した受信信号強度から、受信信号の強度分布を特定してチャネルを検出するチャネル検出処理ステップとを備え、
前記受信周波数切換ステップは、チャネルの中心周波数が設定されうる周波数の間隔よりも広いステップ幅で受信信号の周波数を切り換え、
前記チャネル検出処理ステップは、チャネルが存在する可能性の有無を受信信号強度より判別するための所定の閾値を用いて、前記信号強度測定ステップにて測定した受信信号強度のうちで所定の閾値を超えているものがあるか否かを判別し、ないと判別した場合に、所定の時間が経過するまで受信動作を停止させる、
ことを特徴とする。
【００１７】
また、この発明の第４の観点に係る通信方法は、
１つのチャネルにて伝送される信号の帯域幅が、チャネルの中心周波数が設定されうる周波数の間隔よりも広くなるようにスペクトラム拡散が施された信号を受信して、受信信号の強度分布を特定し、特定した強度分布に基づいてチャネルを検出して通信を実行する方法であって、
受信信号からベースバンド信号を復調する復調ステップと、
前記復調ステップにて復調したベースバンド信号から、受信信号強度を測定する信号強度測定ステップと、
前記復調ステップにてベースバンド信号を復調する受信信号の周波数を切り換える受信周波数切換ステップと、
前記受信周波数切換ステップにて受信信号の周波数を切り換えるごとに前記信号強度測定ステップにて測定した受信信号強度から、受信信号の強度分布を特定してチャネルを検出するチャネル検出処理ステップとを備え、
前記受信周波数切換ステップは、チャネルの中心周波数が設定されうる周波数の間隔よりも広いステップ幅で受信信号の周波数を切り換え、
前記チャネル検出処理ステップは、チャネルが存在する可能性の有無を受信信号強度より判別するための所定の閾値を用いて、前記信号強度測定ステップにて測定した受信信号強度のうちで所定の閾値を超えるものがあるか否かを判別し、あると判別した場合に、所定の閾値を超える受信信号強度が測定された受信信号周波数に基づいて、チャネルを検出するための処理を実行する、
ことを特徴とする。
【００１８】
【発明の実施の形態】
以下に、図面を参照して、この発明の実施の形態に係る移動通信装置について詳細に説明する。
【００１９】
図１は、この発明の実施の形態に係る移動通信装置１００の構成を示す図である。
この移動通信装置１００は、例えば、第３世代の移動体通信システムであるＩＭＴ−２０００（International Mobile Telecommunication-2000）のシステムに適用されて、符号分割多元接続方式（ＣＤＭＡ；Code Division Multiple Access）に従った無線信号を基地局との間で送受信して、相手先との通信を可能とする。
【００２０】
図１に示すように、この移動通信装置１００は、無線復調部１０と、相関処理部１１と、データ処理部１２と、アンテナ１３とを備えている。
【００２１】
無線復調部１０は、ＬＮＡ（Low Noise Amplifier）、ダウンコンバータ、直交検波器等から構成され、アンテナ１３により受信した無線信号からベースバンド信号を復調するためのものである。無線復調部１０により復調されるベースバンド信号は、スペクトラム拡散が施されており、例えば１つのチャネルにて伝送される信号が、約３．８４ＭＨｚの帯域幅を有している。
【００２２】
相関処理部１１は、無線復調部１０により復調されたベースバンド信号に基づいてチャネルを検出して初期同期を確立し、データ処理部１２にて処理可能なデータ信号を復号するためのものである。
図２は、相関処理部１１の構成を示す図である。
図示するように、相関処理部１１は、探索処理部１４と、受信処理部１５とを備えている。
【００２３】
探索処理部１４は、この移動通信装置１００が適用される通信システムにおいて提供されるチャネルを検出して初期同期を確立するためのものであり、拡散コード生成部２０と、相関検出部２１と、レベル測定部２２と、受信周波数制御部２３と、記憶部２４と、演算制御部２５とを備えている。
【００２４】
拡散コード生成部２０は、演算制御部２５の制御に従って、例えばＰＮ（Pseudo Noise）系列やＧｏｌｄ系列等からなる拡散コードを生成するためのものである。すなわち、拡散コード生成部２０は、初期同期チャネル（Primary SCH）用の拡散コードを生成して相関検出部２１に供給することで、初期同期を確立するための逆拡散処理を実行可能とする。
【００２５】
相関検出部２１は、マッチトフィルタ等から構成され、無線復調部１０から受けたベースバンド信号と、拡散コード生成部２０により生成された拡散コードとの相関演算を実行することにより、ベースバンド信号を逆拡散するためのものである。相関検出部２１は、相関演算の結果を、演算制御部２５に通知する。
【００２６】
レベル測定部２２は、無線復調部１０から受けたベースバンド信号の振幅等に基づいて、例えばＲＳＳＩ（Received Signal Strength Indicator）を特定するなどといった、信号の受信レベルを測定するためのものである。
【００２７】
受信周波数制御部２３は、無線復調部１０の動作を制御して、この移動通信装置１００における受信信号の周波数を切り換えるためのものである。例えば、受信周波数制御部２３は、無線復調部１０が備えるシンセサイザー（図示せず）の発振周波数を切り換えることにより、ベースバンド信号を復調する無線信号の帯域を規定し、この移動通信装置１００が適用される通信システムに割り当てられた周波数範囲におけるチューニングを可能とする。
【００２８】
記憶部２４は、例えばＲＡＭ（Random Access Memory）といった、書換可能な半導体メモリ等から構成され、相関検出部２１が相関演算を実行した結果を示すデータ等を、演算制御部２５が一時的に記憶するためのものである。
【００２９】
演算制御部２５は、例えばマイクロプロセッサ等から構成され、相関処理部１１を構成する各部位の動作を制御するためのものである。
例えば、演算制御部２５は、受信周波数制御部２３に対して受信信号の周波数の切換を指示して、レベル測定部２２に受信レベルの測定を実行させ、測定結果を示すデータを記憶部２４に記憶させることにより、受信信号の強度分布を特定する。また、演算制御部２５は、記憶部２４に記憶されているデータに基づいて、所定の周波数範囲内において所定の閾値を超える受信信号強度を有する受信信号周波数があるか否かを判別することで、通信を可能とするチャネルが存在する可能性の有無を特定することができる。
【００３０】
受信処理部１５は、フィンガ受信機、ＲＡＫＥ合成器等から構成され、無線復調部１０から受けたベースバンド信号を、演算制御部２５によりセットされたパラメータに従って逆拡散することにより、データ信号を復号するためのものである。受信処理部１５は、復号したデータ信号をデータ処理部１２に送る。
【００３１】
図１に示すデータ処理部１２は、デコーダ、スピーカ、表示器等から構成され、受信処理部１５から受けたデータ信号を復号して得られる情報に応じて音声信号や画像信号を出力する等の各種処理を実行するためのものである。
【００３２】
以下に、この発明の実施の形態に係る移動通信装置１００の動作を説明する。
この移動通信装置１００は、通信サービス圏内で受信可能なチャネルの有無を判別する際に、チャネルの中心周波数が設定されうる周波数の間隔よりも広いステップ幅で受信信号の周波数を切り換えることで、所定の周波数範囲での受信信号強度を素早く測定可能な装置である。
【００３３】
この移動通信装置１００は、例えば、移動体通信システムを構成する基地局（図示せず）との間で、スペクトラム拡散が施された無線信号を送受信することにより、相手先との通信を行う。
【００３４】
例えば、基地局が送出した無線信号を受信する際には、まず、無線復調部１０が、アンテナ１３により受信した無線信号からスペクトラム拡散が施されたベースバンド信号を復調し、相関処理部１１に送る。
【００３５】
相関処理部１１は、電源投入直後や通信サービス圏外に存在する時に、無線復調部１０を制御して、受信信号の周波数を切り換えつつレベル測定部２２により受信信号強度（ＲＳＳＩ）を測定し、測定結果を記憶部２４に記憶させる。
【００３６】
この際、受信周波数制御部２３は、受信信号の周波数、すなわち、無線復調部１０が備えるシンセサイザー（図示せず）の発振周波数を、チャネルの中心周波数が設定されうる周波数の間隔よりも広いステップ幅で切り換える。
【００３７】
例えば、ＩＭＴ−２０００のシステムでは、図３に示すように、チャネルの中心周波数として設定可能な周波数位置は、２００ｋＨｚステップで存在している。ここで、受信周波数制御部２３は、受信信号の周波数を、例えば１つのチャネルにて伝送される信号が有する帯域幅のほぼ半分に相当する２ＭＨｚのステップで切り換え、各受信信号の周波数における信号強度の測定を可能とする。すなわち、受信周波数制御部２３は、例えばチャネルの中心周波数として設定されうる周波数が約１０カ所含まれる周波数範囲について、レベル測定部２２がまとめて受信信号強度を測定するように、受信信号の周波数を切り換えて、測定結果を記憶部２４に記憶させる。
【００３８】
こうして移動体通信システムにて使用可能な所定の周波数範囲、例えばＩＭＴ−２０００のシステムにおける２１１０ＭＨｚ〜２１７０ＭＨｚの６０ＭＨｚの範囲における受信信号強度の分布を特定する。
こののち、演算制御部２５は、記憶部２４に記憶されている測定結果から、基地局との間での無線通信に使用できるチャネルが存在する可能性の有無を判別する。
【００３９】
ここで、チャネルの中心周波数として設定可能な周波数の間隔と同一のステップ幅で受信信号の周波数を切り換えた場合に、チャネルが存在する可能性の有無を受信信号強度より判別するための閾値を、Ｔ１とする。すなわち、受信信号の周波数をチャネルの中心周波数として設定可能な周波数の間隔と同一のステップ幅で切り換えて受信信号強度を測定した結果、受信信号強度がＴ１を超える周波数位置が存在しない場合には、チャネルが存在する可能性はない。他方、Ｔ１を超えるものがある場合には、チャネルが存在する可能性がある。
【００４０】
演算制御部２５は、Ｔ１＞Ｔ２なる所定の閾値Ｔ２を用いて、レベル測定器２２により測定した受信信号強度のうちに、Ｔ２を超えているものがあるか否かを判別する。
【００４１】
すなわち、受信信号の周波数とチャネルの中心周波数とが一致している場合には、無線復調部１０が備えるフィルタ（図示せず）の通過帯域特性等から、図４（ａ）にハッチングを付して示すように、チャネル全体の信号成分がレベル測定部２２による受信信号強度の測定対象として検出される。
他方、受信信号の周波数とチャネルの中心周波数とが異なっている場合には、ベースバンド信号として復調されるのは、チャネルを通して送られた信号のうちの一部の信号成分のみとなる。このため、図４（ｂ）にハッチングを付して示すように、この一部の信号成分のみがレベル測定部２２による受信信号強度の測定対象として検出される。
そこで、演算制御部２５は、Ｔ１＞Ｔ２なる閾値Ｔ２を用いて、受信信号強度が閾値Ｔ２を超えたものを特定することにより、受信信号の周波数とは異なる周波数を中心周波数とするチャネルも含めて、その存在可能性の有無を、判別する。
【００４２】
演算制御部２５は、受信信号強度がＴ２を超えた測定結果があると判別すると、基地局との間の無線通信に使用できるチャネルが存在しうるとして、さらにチャネルを検出するための処理を実行し、例えば周波数誤差の除去や相関演算といった、初期同期を確立するための処理を実行する。
一方、演算制御部２５は、受信信号強度がＴ２を超えた測定結果がないと判別すると、無線通信を可能とするチャネルが存在しない、すなわち、この移動通信装置１００が通信サービス圏外に存在しているとして、所定の時間が経過するまで受信動作を停止して待機したのち、再び受信信号強度を測定するための処理を実行する。
【００４３】
次に、図５に示すフローチャートを参照して、相関処理部１１がチャネルを検出するための処理について、より詳細に説明する。
以下では、演算制御部２５が、変数ｋを用いて、受信周波数制御部２３により切り換えられる受信信号の周波数を特定するものとして説明する。
ここで、ＩＭＴ−２０００のシステムでは、６０ＭＨｚの周波数範囲に２００ｋＨｚステップで、チャネルの中心周波数として設定されうる周波数が存在する。すなわち、約３００通りの周波数が、チャネルの中心周波数として設定可能な周波数として存在する。なお、実際には、システムが使用可能な周波数範囲の外部に信号が漏洩することを防止するため、当該周波数範囲の上下２．５ＭＨｚについては、チャネルの中心周波数が設定されないようにしている。ただし、以下では、説明を簡単にするため、３００通りの周波数をチャネルの中心周波数として設定しうるものとして説明する。
【００４４】
演算制御部２５は、チャネルを検出するための処理を開始すると、変数ｋをゼロに設定して初期化する（ステップＳ１）。
【００４５】
こののち、演算制御部２５は、変数ｋを所定のチャネル数ｎ（例えば、ｎ＝１０）だけ増加させ、受信信号の周波数を切り換えるステップ幅を規定する（ステップＳ２）。
【００４６】
演算制御部２５は、変数ｋが３００を超えているか否かを判別する（ステップＳ３）。
【００４７】
演算制御部２５は、変数ｋが３００を超えていないと判別すると（ステップＳ３にてＮＯ）、受信周波数制御部２３に受信信号の周波数を切り換えるように指示し、受信周波数制御部２３は、変数ｋを用いて数式１により特定される周波数Ｆｒが受信信号の周波数となるように、無線復調部１０の動作を制御する（ステップＳ４）。
【数１】
Ｆｒ＝２１１０＋ｋ×０．２［ＭＨｚ］
【００４８】
こののち、レベル測定部２２は、無線復調部１０により復調されたベースバンド信号に基づいて受信信号強度（ＲＳＳＩ）を測定する（ステップＳ５）。この際、演算制御部２５は、レベル測定部２２により測定された受信信号強度を示すデータを記憶部２４に記憶させ、処理を上記ステップＳ２にリターンする。
【００４９】
また、演算制御部２５は、上記ステップＳ３にて、変数ｋが３００を超えていると判別すると（ステップＳ３にてＹＥＳ）、記憶部２４に記憶されているデータに基づいて、この移動通信装置１００が通信サービス圏外にあるか否かを判別する（ステップＳ６）。
すなわち、演算制御部２５は、記憶部２４に記憶されているデータに基づいて受信信号の強度分布を特定し、測定した受信信号強度のうちに、所定の閾値Ｔ２を超えているものがあるか否かを判別する。前述のように、閾値Ｔ２は、受信信号の周波数をチャネルの中心周波数が設定されうる周波数の間隔と同一のステップ幅で切り換えた場合にチャネルが存在する可能性の有無を受信信号強度より判別するための閾値Ｔ１よりも小さい。
これにより、受信信号の周波数をチャネルの中心周波数が設定されうる周波数の間隔よりも広いステップ幅で切り換えて受信信号強度を素早く測定することができ、この移動通信装置１００が通信サービス圏外に存在することを検出するまでの時間を、短縮することができる。
【００５０】
演算制御部２５は、この移動通信装置１００が通信サービス圏内に存在する可能性があると判別すると（ステップＳ６にてＮＯ）、さらにチャネルを検出するための処理を実行するなどして、チャネルの有無を判別する。
すなわち、演算制御部２５は、測定した受信信号強度のうちに、所定の閾値Ｔ２を超えているものがあると判別すると、さらにチャネルを検出するための処理を実行して、チャネルを検出する。例えば、演算制御部２５は、拡散コード生成部２０及び相関検出部２１を制御して逆拡散処理を実行し、初期同期チャネル（Primary SCH）信号を検出するといった、初期同期を確立するための処理を実行する（ステップＳ７）。
【００５１】
この際、チャネルの中心周波数に設定されている可能性のある周波数の範囲は、所定の閾値Ｔ２を超えている受信信号強度の測定対象となった周波数範囲に限定されるので、チャネルを素早く検出することができる。すなわち、演算制御部２５は、受信信号強度のうちでＴ２を超えたものの受信信号周波数から、受信信号強度の測定対象となった周波数範囲を特定し、この周波数範囲に基づいてチャネルを検出するための処理を実行することにより、チャネルを素早く検出することができる。
例えば、演算制御部２５は、受信周波数制御部２３により無線復調部１０を制御して、Ｔ２を超える受信信号強度の測定対象となった周波数範囲内で受信信号の周波数を切り換えさせ、詳細な受信信号強度の分布を特定するなどして、チャネルを検出する。
【００５２】
また、これにより、通信サービス圏内に復帰するための処理も簡単となるので、消費電力を低減することができる。
【００５３】
一方、演算制御部２５は、この移動通信装置１００が通信サービス圏外に存在すると判別すると（ステップＳ６にてＹＥＳ）、圏外状態であるとして、例えば圏外タイマが満了するまでの時間といった、所定の時間が経過するまで待機する（ステップＳ８）。この際、演算制御部２５は、例えば無線復調部１０や相関処理部１１の動作を制御して、受信動作を停止させる。
すなわち、演算制御部２５は、閾値Ｔ２を超える受信信号強度がないと判別すれば、通信サービス圏外に存在することを直ちに検出して、次回の受信信号強度を測定するタイミングが到来まで、無線信号の受信動作を停止することができる。
これにより、通信サービス圏外にあることを素早く検出して、消費電力を低減することができる。
こののち、演算制御部２５は、処理を上記ステップＳ１にリターンして、再びチャネルを検出するための処理を実行する。
【００５４】
このようにして、受信周波数制御部２３が受信信号の周波数を切り換えるごとに、チャネルの中心周波数として設定されうる周波数が複数含まれる周波数範囲について、レベル測定部２２によりまとめて受信信号強度を測定することにより、受信信号強度を素早く測定することができる。
【００５５】
例えば、チャネルの中心周波数として設定されうる周波数が３００通りある場合、受信周波数制御部２３が受信信号の周波数を切り換えるごとに、チャネルの中心周波数として設定されうる周波数が１０カ所含まれる周波数範囲について、レベル測定部２２によりまとめて受信信号強度を測定する。
ここで、受信周波数制御部２３が受信信号の周波数を切り換えるごとに受信信号強度を測定する際に、平均化及び受信信号の周波数切換に要する時間も含めて、１０ｍｓの時間を要するものとする。
この場合、移動通信装置１００は、受信信号の周波数を３０通りだけ順次切り換えて受信信号強度を測定すればよく、移動体通信システムが使用する所定の周波数範囲での受信信号強度を測定する処理を、１回実行するために要する時間は、３００ｍｓに短縮することができる。
【００５６】
以上説明したように、この発明によれば、受信信号の周波数を切り換えるステップ幅を、チャネルの中心周波数が設定されうる周波数の間隔よりも広くして、所定の周波数範囲での受信信号強度を素早く測定することができる。
これにより、通信サービス圏外に存在することを素早く検出して、消費電力を低減することができる。また、通信を可能とするチャネルを素早く検出することもできる。また、通信サービス圏内に復帰するための処理が簡単になり、消費電力を低減することができる。
【００５７】
なお、上記実施の形態では、移動通信装置１００がＩＭＴ−２０００のシステムに適用されるものとして説明したが、これに限定されず、１つのチャネルにて伝送される信号の帯域幅が、チャネルの中心周波数が設定されうる周波数の間隔よりも広くなる任意の通信システムに適用することができる。
【００５８】
【発明の効果】
以上の説明のように、この発明によれば、受信信号の周波数を切り換えるステップ幅を、チャネルの中心周波数が設定されうる周波数の間隔よりも広くして受信信号強度を素早く測定することができる。
これにより、通信サービス圏外に存在することを素早く検出して、消費電力を低減することができる。また、通信を可能とするチャネルを素早く検出することもできる。また、通信サービス圏内に復帰するための処理が簡単になり、消費電力を低減することができる。
【図面の簡単な説明】
【図１】この発明の実施の形態に係る移動通信装置の構成を示す図である。
【図２】相関処理部の構成を示す図である。
【図３】チャネルの中心周波数として設定可能な周波数位置を示す図である。
【図４】受信信号強度の測定対象について説明するための図である。
【図５】相関処理部がチャネルを検出するための処理を説明するフローチャートである。
【符号の説明】
１０    無線復調部
１１    相関処理部
１２    データ処理部
１３    アンテナ
１４    探索処理部
１５    受信処理部
２０    拡散コード生成部
２１    相関検出部
２２    レベル測定部
２３    受信周波数制御部
２４    記憶部
２５    演算制御部
１００    移動通信装置
【図１】
0003735249.tif 000002
【図２】
0003735249.tif 000003
【図３】
0003735249.tif 000004
【図４】
0003735249.tif 000005
【図５】
0003735249.tif 000006